(57)【特許請求の範囲】
【請求項１】
壁の内側面或いは外側面と平行に隣接する軌道に沿って建具をスライド移動させることにより建物の開口部を開閉する引き戸構造であって、
前記建具の前記開口部側の表面には、前記建具のスライド方向前方側の縁部に沿って前記開口部の前方内側面及び後方内側面と平行に配置された前方帯状戸当部材が前記開口部に突出して設けられており、該前方帯状戸当部材には引手用凸条が当該前方帯状戸当部材に沿って設けられており、前記前方帯状戸当部材の側面を前記開口部の前方内側面或いは後方内側面に当接させて、引き戸を全閉状態或いは全開状態とするようになっており、
且つ前記建具の前記開口部側の表面には、前記建具のスライド方向後方側の縁部に沿って前記開口部の後方内側面と平行に配置された後方帯状戸当部材が突出して設けられており、該後方帯状戸当部材を、前記引き戸の全閉状態時に、前記開口部の後方において前記壁から前記建具側に突出して設けられた当接面に後方から当接させることを特徴をすることを特徴とする引き戸構造。
【請求項２】
前記前方帯状戸当部材は前記スライド方向前方側の縁部の略全長に沿って設けられており、前記引手用凸条は前記前方帯状戸当部材の略全長に沿って設けられていることを特徴とする請求項１に記載の引き戸構造。
【請求項３】
前記引手用凸状は、前記前方帯状戸当部材の中央部分に沿って凹溝を形成することにより、当該凹溝を挟んだ両側に形成されることを特徴とする請求項１又は２に記載の引き戸構造。
【請求項４】
壁の内側面或いは外側面と平行に隣接する軌道に沿って建具をスライド移動させることにより建物の開口部を開閉する引き戸構造に用いられる矩形形状の建具であって、
該建具の一方の面には、前記矩形形状の一方の長辺部に沿って該一方の長辺部と平行に配置された前方帯状戸当部材が突出して設けられ、且つ該前方帯状戸当部材には引手用凸条が当該前方帯状戸当部材に沿って設けられており、
且つ前記建具の一方の面には、前記一方の長辺部の反対側に位置する他方の長辺部に沿って該他方の長辺部と平行に配置された後方帯状戸当部材が突出して設けられていることを特徴とする引き戸用建具。
【請求項５】
前記前方帯状戸当部材は前記一方の長辺部の略全長に沿って設けられており、前記引手用凸条は前記前方帯状戸当部材の略全長に沿って設けられていることを特徴とする請求項４に記載の引き戸用建具。
【請求項６】
前記引手用凸条は、前記前方帯状戸当部材の中央部分に沿って凹溝を形成することにより、当該凹溝を挟んだ両側に形成されることを特徴とする請求項４又は５に記載の引き戸用建具。
【請求項７】
前記建具の他方の面には、前記一方の面に設けられた前記後方帯状戸当部材と対応する位置に、前記後方帯状戸当部材と同形状の外側後方帯状戸当部材が設けられていることを特徴とする請求項４に記載の引き戸用建具。
【請求項８】
前記建具の他方の面には、前記一方の面に設けられた前記前方帯状戸当部材と対応する位置に、前記前方帯状戸当部材と同形状の外側前方帯状戸当部材が設けられていることを特徴とする請求項４〜７のいずれかに記載の引き戸用建具。
【発明の詳細な説明】
【０００１】
【発明の属する技術分野】
本発明は、引き戸構造及び引き戸用建具に関し、壁の内側面或いは外側面と平行に隣接する軌道に沿って建具をスライド移動させることにより、建物の開口部を開閉する引き戸構造及び引き戸用建具に関する。
【０００２】
【従来の技術及び発明が解決しようとする課題】
引き戸は、室内を外界から区切ったり或いは室内空間相互を区切る壁に設けられた開口部を、溝やレールによって案内される戸や扉等の建具を壁に沿ってスライド移動することにより開閉するものである。
【０００３】
これらの引き戸のうち、一枚の建具をスライド移動させて開口部を開閉する一枚引き戸（片引き戸）によれば、図５（ａ）に示すように、開口部５０の片側の壁５１の厚さを半分程程削って、引き戸の開放時に建具５２を引き込むための収納部５３が設けられている。一方、この収納部５３は耐力壁となり得る部分をつぶして形成されることになるので、壁５１に十分な強度をもたせた効率的な建物の設計ができないことから、図５（ｂ）に示すように、壁５４の厚さを削ることなく保持し、壁５４と隣接して当該壁５４と平行に延設した溝やレール等の軌道に沿って建具５５をスライド移動させるいわゆるセットバックタイプの引き戸構造も知られている。
【０００４】
従来のセットバックタイプの引き戸構造によれば、スライド移動する建具５５を止めるための戸当たりは、例えば床面や天井面或いは壁面から突出して設置された専用のストッパー部材５６に建具５５の端面を当接させることにより行われていたが、このようなストッパー部材５６による戸当りは、建具５５が止まる時の衝撃を安定した状態で支持することができずに、また引き戸の周囲の外観を損なうことにもなる。
【０００５】
また、従来のセットバックタイプの引き戸によれば、開口部５０を閉塞した状態であっても、開口部５０の周囲において建具５５と壁５４との間の隙間から光や音が漏れやすかった。
【０００６】
本発明は、引き戸の周囲の外観を損うことなく、開閉時に建具を安定した状態で止めることのできる引き戸構造及び引き戸用建具を提供することを目的とする。
【０００７】
また、本発明は、開口部の閉塞時において光や音を漏れにくくすることのできる引き戸構造及び引き戸用建具を提供することを目的とする。
【０００８】
【課題を解決するための手段】
本発明は、壁の内側面或いは外側面と平行に隣接する軌道に沿って建具をスライド移動させることにより建物の開口部を開閉する引き戸構造であって、前記建具の前記開口部側の表面には、前記建具のスライド方向前方側の縁部に沿って前記開口部の前方内側面及び後方内側面と平行に配置された前方帯状戸当部材が前記開口部に突出して設けられており、該前方帯状戸当部材には引手用凸条が当該前方帯状戸当部材に沿って設けられており、前記前方帯状戸当部材の側面を前記開口部の前方内側面或いは後方内側面に当接させて、引き戸を全閉状態或いは全開状態とするようになっており、且つ前記建具の前記開口部側の表面には、前記建具のスライド方向後方側の縁部に沿って前記開口部の後方内側面と平行に配置された後方帯状戸当部材が突出して設けられており、該後方帯状戸当部材を、前記引き戸の全閉状態時に、前記開口部の後方において前記壁から前記建具側に突出して設けられた当接面に後方から当接させることを特徴をすることを特徴とする引き戸構造を提供することにより、上記目的を達成したものである（請求項１記載の発明）。
【０００９】
ここで、上記記載におけるスライド方向前方側は、開口部を開放状態から閉塞状態とするべく建具をスライド移動する際の前方側を意味し、開口部の前方内側面は、当該スライド方向前方側に位置する内側面を、開口部の後方内側面は、前方内側面と対向するスライド方向の後方側に位置する内側面を意味する。
【００１０】
本発明の引き戸構造は、前記前方帯状戸当部材を前記スライド方向前方側の縁部の略全長に沿って設け、前記引手用凸条を前記前方帯状戸当部材の略全長に沿って設けることが好ましい（請求項２記載の発明）。
【００１１】
また、本発明の引き戸構造は、前記前方帯状戸当部材の中央部分に沿って凹溝を形成することにより、前記引手用凸状を当該凹溝を挟んだ両側に形成することが好ましい（請求項３記載の発明）。
【００１３】
一方、本発明は、壁の内側面或いは外側面と平行に隣接する軌道に沿って建具をスライド移動させることにより建物の開口部を開閉する引き戸構造に用いられる矩形形状の建具であって、該建具の一方の面には、前記矩形形状の一方の長辺部に沿って該一方の長辺部と平行に配置された前方帯状戸当部材が突出して設けられ、且つ該前方帯状戸当部材には引手用凸条が当該前方帯状戸当部材に沿って設けられており、且つ前記建具の一方の面には、前記一方の長辺部の反対側に位置する他方の長辺部に沿って該他方の長辺部と平行に配置された後方帯状戸当部材が突出して設けられていることを特徴とする引き戸用建具を提供することにより、上記目的を達成したものである（請求項４記載の発明）。
【００１４】
また、本発明の引き戸用建具は、前記前方帯状戸当部材を前記一方の長辺部の略全長に沿って設け、前記引手用凸条を前記前方帯状戸当部材の略全長に沿って設けることが好ましい（請求項５記載の発明）。
【００１５】
さらに、本発明の引き戸用建具は、前記前方帯状戸当部材の中央部分に沿って凹溝を形成することにより、前記引手用凸条を当該凹溝を挟んだ両側に形成することをが好ましい（請求項６記載の発明）。
【００１７】
また、本発明の引き戸用建具は、前記建具の他方の面には、前記一方の面に設けられた前記後方帯状戸当部材と対応する位置に、前記後方帯状戸当部材と同形状の外側後方帯状戸当部材が設けられていることが好ましい（請求項７記載の発明）。
【００１８】
さらに、本発明の引き戸用建具は、前記建具の他方の面には、前記一方の面に設けられた前記前方帯状戸当部材と対応する位置に、前記前方帯状戸当部材と同形状の外側前方帯状戸当部材が設けられていることが好ましい（請求項８記載の発明）。
【００１９】
【発明の実施の形態】
本発明の好ましい実施形態を添付図面を参照しつつ詳細に説明する。本実施形態の引き戸構造１０は、図１及び図２（ａ），（ｂ）に示すように、一例として建物内部の室内空間相互を区切る壁１１に設けられた開口部１２を、当該壁１１に沿って建具１３をスライド移動して開閉する一枚引き戸として設けられたものである。
【００２０】
すなわち、本実施形態の引き戸構造１０は、壁１１の外側面と平行に隣接する軌道に沿って建具１３をスライド移動させることにより開口部１２を開閉する引き戸としての構造を有する。建具１３の開口部１２側の表面には、建具１３のスライド方向Ｘの前方側の縁部に沿って開口部１２の前方内側面１４及び後方内側面１５と平行に配置された前方帯状戸当部材１６が開口部１２側に突出して設けられている。また前方帯状戸当部材１６には一対の引手用凸条１７が当該前方帯状戸当部材１６に沿って設けられている。前方帯状戸当部材１６は、引き戸を全閉状態或いは全開状態とする際に、その側面が開口部１２の前方内側面１４或いは後方内側面１５と当接する。
【００２１】
建具１３は、開口部１２を覆いうる大きさの矩形形状のパネル部材である。開口部１２側の一方の面には、スライド方向Ｘの前方側に位置する一方の長辺部１９に沿って、これの縁部から３０ｍｍ程度離れて当該一方の長辺部１９と平行に配置された前方帯状戸当部材１６が、上下の端部を除いて当該一方の長辺部１９の略全長に亘って縦長に設けられている。また、本実施形態によれば、前方帯状戸当部材１６の中央部分に沿って縦方向に延長する凹溝１８を形成することにより、当該凹溝１８を挟んでその両側に一対の引手用凸状１７が、帯状戸当部材１６の上下の端部を除いて当該前方帯状戸当部材１６の略全長に沿って設けられている。
【００２２】
さらに、本実施形態によれば、建具１３の開口部１２側の一方の面には、矩形形状の一方の長辺部１９とは反対側に位置する他方の長辺部２０に沿って、これの縁部から１０ｍｍ程度離れて当該他方の長辺部２０と平行に配置された後方帯状戸当部材２１が、上下の端部を除いて当該他方の長辺部２０の略全長に沿って縦長に設けられている。
【００２３】
さらにまた、本実施形態によれば、建具１３の開口部１２とは反対側（外側）の他方の面には、開口部１２側の一方の面に取り付けられた前方帯状戸当部材１６及び後方帯状戸当部材２１と建具１３を挟んで対応する位置に、当該前方帯状戸当部材１６及び後方帯状戸当部材２１と同形状の外側前方帯状戸当部材１６’及び外側後方帯状戸当部材２１’が各々設けられている。
【００２４】
このような構成を有する本実施形態の建具１３は、壁１１の外側面と平行に隣接する軌道に沿ってスライド移動が可能なように取り付けられる。すなわち、図３に示すように、開口部１２より上方に位置する壁１１の外側面には、開口縁部に沿って取り付けられたアングル材からなる吊り金具２２により支持されるレール金具２３が、保護カバー２９により覆われて設けられており、このレール金具２３の内部に、建具１３の上端面に取り付けたローラ部材２４を係止して、当該建具１３をレール金具２３に沿ってスライド移動可能に吊り下げる。一方、開口部１２と隣接する床面には、開口縁部に沿ってガイド金具２５が取り付けられており、建具１３の下端面に形成したスライド溝２６をこのガイド金具２５に係止して、吊り下げた建具１３の下端が軌道から外れないように保持する。ここで、レール金具２３及びガイド金具２５は、建具１３が開口部１２に沿ってスライド移動するように案内するための、壁１１の外側面と平行に隣接する軌道を構成する。
【００２５】
また、本実施形態によれば、図４にも示すように、開口部１２の天端面及び両サイドの内側面を覆って当接枠２７が取り付けられており、この当接枠２７の両サイドの内側面が開口部１２の前方内側面１４及び後方内側面１５を構成している。また当接枠２７は、壁１１の外側及び内側に突出して設けられており、後方内側面１５を構成する当接枠２７の外側に突出する部分の後端面は、開口部１２の後方において壁１１から建具１３側に突出して設けられた当接面２８を形成している。
【００２６】
さらに、本実施形態によれば、当接枠２７によって構成される前方内側面１４の建具１３側の縁部には、当該縁部に沿って前方パッキン部材３０が取り付けられている。また開口部１２の後方に形成された当接面２８には、当該当接面２８に沿って後方パッキン部材３１が取り付けられている。開口部１２の閉塞時に、前方帯状戸当部材１６及び後方帯状戸当部材２１がこれらのパッキン部材３０，３１を介して当接枠２７と当接することにより、閉塞時の衝撃が緩和される。
【００２７】
そして、本実施形態によれば、引き戸の周囲の外観を損うことなく、開閉時に建具１３を安定した状態で止めることができる。すなわち、本実施形態によれば、開口部１２を開放した状態から閉塞状態とする際には、例えば壁１１の内側から前方帯状戸当部材１６の引手用凸条１７に手を掛けて建具１３を前方内側面１４側にスライドさせれば、前方帯状戸当部材１６は縦方向に相当の長さを有するその側面が前方内側面１４の縁部に当接することにより、専用のストッパー部材を要することなく、建具１３のスライド移動を安定して且つ確実に止めることができる。また、引手用凸条１７を備える引手兼用の前方帯状戸当部材１６によって戸当たりを構成することにより、引き戸の周囲に目障りな戸当たり用の部材を別途用いる必要がなく、従って引き戸の外観を向上させることができる。そして、引手用凸条１７に手を掛けて、前方帯状戸当部材１６が当接枠２７の後方内側面１５に当接するまで建具１３をスライド移動することにより、引き戸を容易に全開状態とすることができる。
【００２８】
また、本実施形態によれば、前方帯状戸当部材１６は建具１３の縦方向の略全長に亘って設けられており、引手用凸条１７は、前方帯状戸当部材１６の略全長に沿って設けられているので、建具１３をスライド移動させようとする人（例えば背の高い大人、背の低い子供、車椅子に乗った人等）の手の高が相違する場合でも（図１参照）、当該手の高さに応じた位置で引手用凸条１７に手を掛けることができるので、引き戸のバリアフリー化を図ることができる。また、引手用凸条１７は前方帯状戸当部材１６に設けられ、この引手用凸条１７は、セットバックタイプの引き戸における壁１１の外側から開口部１２の内側に相当の高さで突出していることにより、壁１１の内側から建具１３をスライド移動しようとする人は、引手用凸条１７の突出高さ分だけ内側に近くなった当該引手用凸条１７に手を掛けやすくなり、これによって特に車椅子に乗った人等でも開閉作業を容易に行うことが可能になる。
【００２９】
さらに、本実施形態によれば、前方帯状戸当部材１６とは反対側に位置して、建具１３の他方の長辺部２０に沿って後方帯状戸当部材２１が当該長辺部２０の略全長にわたって設けられており、開口部１２を閉塞した際に、この後方帯状戸当部材２１は開口部１２の後方に形成された当接面２８に当接するので、建具１３のスライド移動をさらに安定して止めることができる。また建具１３の縦方向略全長に亘って設けられた前方帯状戸当部材１６及び後方帯状戸当部材２１は、開口部１２の閉塞状態においては、当接枠２７に各々密着状態で当接するので、開口部１２の周囲の建具１３と壁１１との間の隙間を効果的に遮断して、当該隙間から光や音を漏れにくくする。
【００３０】
さらにまた、本実施形態によれば、建具１３の開口部１２側の面とは反対側の他方の面には、前方帯状戸当部材１６及び後方帯状戸当部材２１と対応する位置に、当該前方帯状戸当部材１６及び後方帯状戸当部材２１と同形状の外側前方帯状戸当部材１６’及び外側後方帯状戸当部材２１’が各々設けられているので、建具１３はこれの内側から見ても外側から見ても同一形状となって、引き戸の美観をさらに向上させることができる。
【００３１】
なお、本発明は上記実施形態に限定されることなく種々の変更が可能である。例えば、前方帯状戸当部材１６は、建具１３の縦方向の略全長にわたって設ける必要は必ずしもなく、手を掛けやすい高さに応じてその一部に設けることもできる。また、外側前方帯状戸当部材１６'、或いは外側後方帯状戸当部材２１'は必ずしも設ける必要はない。さらに、引手用凸条は、前方帯状戸当部材の中央部分に凹溝を形成してこれの両側に一対設ける必要は必ずしもなく、前方帯状戸当部材から一条のみ突出させて設けることもできる。さらにまた、壁の内側面或いは外側面と平行に隣接する軌道は、必ずしもレール金具２３及びガイド金具２５によって構成する必要はなく、セットバックタイプの引き戸に用いられるその他の公知の種々の軌道構成部材を用いることもできる。建具は、光を透過可能なガラスをはめ込んだものであても良い。
【００３２】
【発明の効果】
以上詳細に説明したように、本発明の引き戸構造及び引き戸用建具によれば、引き戸の周囲の外観を損うことなく、開閉時に建具を安定した状態で止めることができる。
【００３３】
また、本発明は、前方帯状戸当部材及び後方帯状戸当部材を、建具の縁部に沿ってこれの略全長にわたって設け、開口部の閉塞時にこれらを開口部の前方内側面及び当接面に当接させれば、光や音を漏れにくくすることができる。
【図面の簡単な説明】
【図１】本発明の一実施形態に係る引き戸構造を壁の内側から視た略示正面図である。
【図２】（ａ）は引き戸の全閉状態を示す図１のＡ−Ａに沿った略示断面図、（ｂ）は引き戸の全開状態を示す図１のＡ−Ａに沿った略示断面図である。
【図３】本発明の一実施形態に係る引き戸構造を示す図１のＢ−Ｂに沿った縦断面図である。
【図４】本発明の一実施形態に係る引き戸構造を示す図１のＣ−Ｃに沿った横断面図である。
【図５】（ａ）及び（ｂ）は、従来の一枚引き戸を説明する略示断面図である。
【符号の説明】
１０  引き戸構造
１１  壁
１２  開口部
１３  建具
１４  前方内側面
１５  後方内側面
１６  前方帯状戸当部材
１６’  外側前方帯状戸当部材
１７  引手用凸条
１８  凹溝
１９  一方の長辺部
２０  他方の長辺部
２１  後方帯状戸当部材
２１’  外側後方帯状戸当部材
２２  吊り金具
２３  レール金具（軌道）
２４  ローラ部材
２５  ガイド金具（軌道）
２６  スライド溝
２７  当接枠
２８  当接面
２９  保護カバー
３０  前方パッキン部材
３１  後方パッキン部材
Ｘ    建具のスライド方向
【図１】
0004340379.tif 000002
【図２】
0004340379.tif 000003
【図３】
0004340379.tif 000004
【図４】
0004340379.tif 000005
【図５】
0004340379.tif 000006